(57)【要約】【課題】端末装置間の通信の中継を簡易な操作で実現すること。【解決手段】通信中継装置は、端末装置間の通信の中継を認可するために用いられるクレデンシャル情報と当該通信中継装置の宛先情報とを含む認可用情報を生成し、生成した認可用情報を第１の端末装置へ送信し、第２の端末装置は、第１の端末装置が通信中継装置から受信した認可用情報を、当該第１の端末装置から取得し、取得した認可用情報に含まれる宛先情報に基づき、当該認可用情報を通信中継装置へ送信し、通信中継装置は、第１の端末装置へ送信した認可用情報と、第２の端末装置から受信した認可用情報とが一致する場合、第１の端末装置と第２の端末装置との間の通信の中継を認可する。【選択図】図１
2012186624.tif 000002
【特許請求の範囲】
【請求項１】
端末装置間の通信の中継を行う通信中継装置と、
第１の端末装置と、
当該第１の端末装置からデータ取得が可能な第２の端末装置と、を備え、
前記通信中継装置は、
前記端末装置間の通信の中継を認可するために用いられるクレデンシャル情報と当該通信中継装置の宛先情報とを含む認可用情報を生成し、
前記生成した認可用情報を前記第１の端末装置へ送信し、
前記第２の端末装置は、
前記第１の端末装置が前記通信中継装置から受信した認可用情報を、当該第１の端末装置から取得し、
前記取得した認可用情報に含まれる宛先情報に基づき、当該認可用情報を前記通信中継装置へ送信し、
前記通信中継装置は、
前記第１の端末装置へ送信した認可用情報と、前記第２の端末装置から受信した認可用情報とが一致した場合、前記第１の端末装置と前記第２の端末装置との間の通信の中継を認可する
ことを特徴とする通信中継認可システム。
【請求項２】
前記第２の端末装置は、ユーザからの取得指示に応じて、前記第１の端末装置から前記認可用情報を取得することを特徴とする請求項１に記載の通信中継認可システム。
【請求項３】
前記第１の端末装置は、前記第２の端末装置からの取得要求に応じて、前記認可用情報を当該第２の端末装置へ引き渡す
ことを特徴とする請求項１又は２に記載の通信中継認可システム。
【請求項４】
前記第１の端末装置は、
前記ユーザに対して取得可能である旨を通知し、
前記第２の端末装置は、
前記通知に基づく前記ユーザからの取得指示に応じて前記認可用情報を前記第１の端末装置から取得する
ことを特徴とする請求項３に記載の通信中継認可システム。
【請求項５】
前記第１の端末装置は、
前記第２の端末装置との通信の中継要求を前記通信中継装置へ送信する中継要求送信手段と、
前記通信中継装置から受信した前記認可用情報を記憶する受信情報記憶手段と、を備え、
前記中継要求送信手段は、
前記受信情報記憶手段に前記認可用情報が記憶されている場合に、当該認可用情報を読み出して前記中継要求に含めて前記通信中継装置へ送信し、
前記通信中継装置は、
認可済みの前記認可用情報を記憶する認可済情報記憶手段をさらに備え、
前記第１の端末装置から受信した中継要求に含まれる前記認可用情報が前記認可済情報記憶手段に記憶された認可用情報と一致した場合、前記第１の端末装置と前記第２の端末装置との通信の中継を行う
ことを特徴とする請求項１乃至４のいずれか１項に記載の通信中継認可システム。
【請求項６】
前記通信中継装置は、
前記受信した中継要求に含まれる認可用情報が前記認可済情報記憶手段に記憶された認可用情報と一致しない場合に、前記認可用情報を生成する
ことを特徴とする請求項５に記載の通信中継認可システム。
【請求項７】
端末装置間の通信の中継を認可するために用いられるクレデンシャル情報と自己の宛先情報とを含む認可用情報を生成する認可用情報生成手段と、
前記生成した認可用情報を第１の端末装置へ送信する認可用情報送信手段と、
前記第２の端末装置が前記第１の端末装置から取得し前記宛先情報に基づき送信した前記認可用情報を受信する認可用情報受信手段と、
前記第１の端末装置へ送信した認可用情報と、前記第２の端末装置から受信した認可用情報とが一致した場合、前記第１の端末装置と前記第２の端末装置との間の通信の中継を認可する認可手段と、
を備える通信中継装置。
【請求項８】
前記通信中継装置は、
前記認可手段により認可済みの前記認可用情報を記憶する認可済情報記憶手段と、
前記第２の端末装置との通信の中継要求を、前記第１の端末装置から受信し、
前記受信した中継要求に含まれる前記認可用情報が、当該認可用情報が前記認可済情報記憶手段に記憶された認可用情報と一致した場合、前記第１の端末装置と前記第２の端末装置との通信の中継を行う中継要求受信手段と、
をさらに備えることを特徴とする請求項７に記載の通信中継装置。
【請求項９】
前記認可用情報生成手段は、前記受信した中継要求に含まれる認可用情報が前記認可済情報記憶手段に記憶された認可用情報と一致しない場合、前記認可用情報を生成する
ことを特徴とする請求項８に記載の通信中継装置。
【請求項１０】
第１の端末装置と第２の端末装置間の通信の中継を行う通信中継装置であって、
端末装置間の通信の中継を認可するために用いられるクレデンシャル情報と当該通信中継装置の宛先情報とを含む認可用情報を生成し、
前記生成した認可用情報を前記第１の端末装置へ送信し、
前記第２の端末装置が前記第１の端末装置から取得し前記宛先情報に基づき送信した前記認可用情報を受信し、
前記第１の端末装置へ送信した認可用情報と、前記第２の端末装置から受信した認可用情報とが一致した場合、前記第１の端末装置と前記第２の端末装置との間の通信の中継を認可する
ことを特徴とする通信中継認可方法。
【請求項１１】
前記第２の端末装置において、
ユーザからの取得指示に応じて、前記第１の端末装置から前記認可用情報を取得する
ことを特徴とする請求項１０に記載の通信中継認可方法。
【請求項１２】
前記第１の端末装置は、前記第２の端末装置からの取得要求に応じて、前記認可用情報を当該第２の端末装置へ引き渡すことを特徴とする請求項１０又は１１に記載の通信中継認可方法。
【請求項１３】
前記第１の端末装置は、前記ユーザに対して当該認可用情報が取得可能である旨を通知し、
前記第２の端末装置は、
前記通知に基づく前記ユーザからの取得指示に応じて前記認可用情報を前記第１の端末装置から取得することを特徴とする請求項１２に記載の通信中継認可方法。
【請求項１４】
前記第１の端末装置は
前記通信中継装置から受信した前記認可用情報を受信情報記憶手段に記憶し、
前記第２の端末装置との通信の中継要求を前記通信中継装置へ送信する際に、当該認可用情報を読み出して前記中継要求に含めて前記通信中継装置へ送信し、
前記通信中継装置は、
認可済みの前記認可用情報を認可済情報記憶手段に記憶し、
前記第１の端末装置から受信した中継要求に含まれる認可用情報が前記認可済情報記憶手段に記憶された認可用情報と一致した場合、前記第１の端末装置と前記第２の端末装置との通信の中継を行う
ことを特徴とする請求項１０乃至１３のいずれか１項に記載の通信中継認可方法。
【請求項１５】
前記通信中継装置は、
前記受信した中継要求に含まれる認可用情報が前記認可済情報記憶手段に記憶された認可用情報と一致しない場合に、前記認可用情報を生成することを特徴とする請求項１４に記載の通信中継認可方法。
【請求項１６】
第１の端末装置と第２の端末装置間の通信の中継を行う通信中継装置の制御プログラムであって、
前記端末装置間の通信の中継を認可するために用いられるクレデンシャル情報と自己の宛先情報とを含む認可用情報を生成する生成処理と、
前記生成した認可用情報を第１の端末装置へ送信する送信処理と、
第２の端末装置が第１の端末装置から取得し前記宛先情報に基づき送信された当該認可用情報を受信する受信処理と、
前記第１の端末装置へ送信した認可用情報と、前記第２の端末装置から受信した認可用情報とが一致した場合、前記第１の端末装置と前記第２の端末装置との間の通信の中継を認可する認可処理と、
をコンピュータに実行させる制御プログラム。
【請求項１７】
端末装置間の通信の中継を行う通信中継装置において当該中継を認可するために用いられるクレデンシャル情報と、当該通信中継装置の宛先情報とを含む認可用情報を、当該他の端末装置から取得する取得手段と、
前記取得した認可用情報に含まれる宛先情報に基づき、当該認可用情報を前記通信中継装置へ送信する送信手段と、
を備える端末装置。
【請求項１８】
ユーザからの取得指示に応じて、前記他の端末装置から前記認可用情報を取得することを特徴とする請求項１７に記載の端末装置。
【請求項１９】
前記他の端末装置が前記通信中継装置から受信した認可用情報を取得可能に設定した場合に、前記ユーザに対する当該認可用情報が取得可能である旨の通知に基づく前記ユーザからの取得指示に応じて、前記認可用情報を前記他の端末装置から取得することを特徴とする請求項１８に記載の端末装置。
【請求項２０】
端末装置間の通信の中継を行う通信中継装置において当該中継を認可するために用いられるクレデンシャル情報と、当該通信中継装置の宛先情報とを含む認可用情報を、当該他の端末装置から取得する取得処理と、
前記取得した認可用情報に含まれる宛先情報に基づき、当該認可用情報を前記通信中継装置へ送信する送信処理と、
をコンピュータに実行させる制御プログラム。
【請求項２１】
端末装置間の通信の中継を行う通信中継装置において当該中継を認可するために用いられるクレデンシャル情報と、当該通信中継装置の宛先情報とを含む認可用情報を受信する受信手段と、
前記通信中継装置から前記認可用情報を受信した場合に、当該認可用情報を他の端末装置から取得可能に設定する設定手段と、
を備える端末装置。
【請求項２２】
前記他の端末装置からの取得要求に応じて、前記認可用情報を当該他の端末装置へ送信する送信手段をさらに備えることを特徴とする請求項２１に記載の端末装置。
【請求項２３】
前記受信した認可用情報を取得可能に設定した場合に、前記他の端末装置のユーザに対して当該認可用情報が取得可能である旨を通知する通知手段をさらに備えることを特徴とする請求項２１又は２２に記載の端末装置。
【請求項２４】
前記他の端末装置との通信の中継要求を前記通信中継装置へ送信する中継要求送信手段と、
前記通信中継装置から受信した前記認可用情報を記憶する受信情報記憶手段と、
さらに備えることを特徴とする請求項２１乃至２３のいずれか１項に記載の端末装置。
【請求項２５】
端末装置間の通信の中継を行う通信中継装置において当該中継を認可するために用いられるクレデンシャル情報と、当該通信中継装置の宛先情報とを含む認可用情報を受信する受信処理と、
前記通信中継装置から前記認可用情報を受信した場合に、当該認可用情報を他の端末装置から取得可能に設定する設定処理と、
をコンピュータに実行させる制御プログラム。
【発明の詳細な説明】
【技術分野】
【０００１】
本発明は、通信中継認可システム、通信中継装置、通信中継認可方法、端末装置及び制御プログラムに関し、特に、端末装置間の通信中継を認可するための通信中継認可システム、通信中継装置、通信中継認可方法、端末装置及び制御プログラムに関する。
【背景技術】
【０００２】
特許文献１には、家庭内ネットワークとインターネット間の双方向の通信を実現するために、通信の中継を認可するサーバに関する技術が開示されている。特許文献１にかかるサーバは、次のように動作する。特許文献１にかかるサーバであるＩｎｔｅｒＳｅｒｖｅｒは、ネットワーク家電内の中継装置とクライアント機器との接続を仲介する（段落００３３及び図１）。ここで、ネットワーク家電は、家庭内ネットワーク内に接続され、クライアント機器は、当該家庭内ネットワーク以外のネットワークに接続されたものである。また、ＩｎｔｅｒＳｅｒｖｅｒは、フィルタ部を備え、フィルタルールに基づいてアクセスの認可を行う（段落００４３、００４４及び００４５並びに図３Ａ及び図４）。また、フィルタルールは、エンドユーザによってＷｅｂサーバを介して入力及び変更可能である。
【０００３】
特許文献２には、制御主体の相談員コンピュータと、制御対象のユーザコンピュータとの接続を行う遠隔制御システムに関する技術が開示されている。特許文献２にかかる遠隔制御システムは、次のように動作する。まず、中継サーバが接続暗号を生成し、それを一方の端末、すなわち相談員コンピュータに送信する次に、相談員は、その接続暗号を、他方の端末、すなわちユーザコンピュータのユーザに電話で通知する。そして、ユーザは、その接続暗号をユーザコンピュータ上で入力する。その後、中継サーバは、接続暗号が一致したならば、中継を認可する（段落００２３及び００２４並びに図１及び図２）。
【０００４】
特許文献３には、２台の端末間の通信を中継するゲートウェイに関する技術が開示されている。特許文献３にかかるゲートウェイは、次のように動作する。まず、当該ゲートウェイは、クライアントとアプリケーションサーバ間の通信を中継する（段落００１９）。このとき、ゲートウェイは、トンネル接続情報に基づいてトークンを生成し、クライアントからアプリケーションサーバへのリクエストにトークンを添付する。そして、サーバは、このトークンに基づいてアクセス認可する。すなわち、通信の中継については、ゲートウェイへの接続時に認可を行い、さらに個別のリクエストについては、ゲートウェイが添付するトークンに基づいてサーバが認可を行う。
【０００５】
特許文献４には、ハードウェアトークンのような専用装置を用いる代わりに、一般的な携帯端末を用いることで、ワンタイムパスワード方式による認証を実現する認証システムに関する技術が開示されている。特許文献４にかかる認証システムでは、認証を必要とするＷｅｂページ等へアクセスするために、当該Ｗｅｂページを管理し、認証を行う認証データベースを有するＷｅｂサーバ等に対して、予めユーザＩＤと携帯端末の端末ＩＤとを対応付けて登録を行う。そして、ＰＣ等から前記Ｗｅｂページへアクセスする際に、携帯端末からＷｅｂサーバへのアクセスを行い、発行されるワンタイムパスワードを用いて端末ＩＤによりアクセス認証を行う。引き続き、ＰＣ等からユーザＩＤを用いてＷｅｂサーバへのアクセスを行う。そのとき、Ｗｅｂサーバは、認証データベースを参照し、アクセスされたユーザＩＤに対応付けられた端末ＩＤが認証済みである場合に限り、当該Ｗｅｂページへのアクセスを許可する。
【０００６】
特許文献５には、クライアントからサーバへのサービス要求を中継するデータ通信中継装置に関する技術が開示されている。
【０００７】
特許文献６には、特定のネットワーク内のクライアント端末が広域網を介して認証サーバと通信可能な通信システムにおいて、ネットワーク内で、広域網側との通信を中継するプロキシサーバに関する技術が開示されている。
【先行技術文献】
【特許文献】
【０００８】
【特許文献１】特開２００４−１９４３１３号公報
【特許文献２】特開２００４−３１０７３４号公報
【特許文献３】特開２００９−１６３５４６号公報
【特許文献４】特開２００８−１７１０８７号公報
【特許文献５】特開２００３−２８３５５６号公報
【特許文献６】特開２００９−２５８９１７号公報
【発明の概要】
【発明が解決しようとする課題】
【０００９】
上述した特許文献１乃至４に関する技術には、端末装置間の通信の中継を認可するためのユーザの操作が煩雑であるという問題点がある。特許文献１にかかる技術では、フィルタルールをエンドユーザが入力しなければならない。また、フィルタルールを入力するための簡易な入力方法も開示されていない。また、特許文献２にかかる技術でも、接続暗号をエンドユーザが入力しなければならない。また、接続暗号の入手は、相談員からの電話での通知を必要とする。結果として、特許文献２にかかる技術では、相談員とエンドユーザの操作を行わなければならず、操作が煩雑である。
【００１０】
さらに、特許文献３にかかる技術は、ゲートウェイへの接続認可とアプリケーションサーバへの接続認可を予め関連付けておかなければならない。すなわち、サーバに予めトークンを介して渡されるトンネル接続情報（特許文献３の段落００４３によれば、ＶＰＮＩＤとクライアントＩＤを含む）に基づいたアクセス制御情報を予めサーバに設定しておく必要がある。つまり、予めアプリケーションサーバに認可情報を設定せねばならない。また、認可情報を設定するための簡易な設定方法は開示されていない。
【００１１】
また、特許文献４は、予めＷｅｂサーバにユーザＩＤと携帯端末の端末ＩＤとを対応付けた登録が必要である。
【００１２】
尚、特許文献５は、複数のクライアントからのアクセスの集中時に要求の選択に関するものであり、通信の中継の認可に関するものではない。また、特許文献６は、認証サーバと通信ができない場合であっても、認証を継続可能とするプロキシサーバに関する技術であって、トークンの生成等に関するものではない。
【００１３】
本発明は、このような問題点を解決するためになされたものであり、端末装置間の通信の中継を簡易な操作で実現するための通信中継認可システム、通信中継装置、通信中継認可方法、端末装置及び制御プログラムを提供することを目的とする。
【課題を解決するための手段】
【００１４】
本発明の第１の態様にかかる通信中継認可システムは、端末装置間の通信の中継を行う通信中継装置と、第１の端末装置と、当該第１の端末装置からデータ取得が可能な第２の端末装置と、を備え、前記通信中継装置は、前記端末装置間の通信の中継を認可するために用いられるクレデンシャル情報と当該通信中継装置の宛先情報とを含む認可用情報を生成し、前記生成した認可用情報を前記第１の端末装置へ送信し、前記第２の端末装置は、前記第１の端末装置が前記通信中継装置から受信した認可用情報を、当該第１の端末装置から取得し、前記取得した認可用情報に含まれる宛先情報に基づき、当該認可用情報を前記通信中継装置へ送信し、前記通信中継装置は、前記第１の端末装置へ送信した認可用情報と、前記第２の端末装置から受信した認可用情報とが一致した場合、前記第１の端末装置と前記第２の端末装置との間の通信の中継を認可することを特徴とする。
【００１５】
本発明の第２の態様にかかる通信中継装置は、端末装置間の通信の中継を認可するために用いられるクレデンシャル情報と自己の宛先情報とを含む認可用情報を生成する認可用情報生成手段と、前記生成した認可用情報を第１の端末装置へ送信する認可用情報送信手段と、前記第２の端末装置が前記第１の端末装置から取得し前記宛先情報に基づき送信した前記認可用情報を受信する認可用情報受信手段と、前記第１の端末装置へ送信した認可用情報と、前記第２の端末装置から受信した認可用情報とが一致した場合、前記第１の端末装置と前記第２の端末装置との間の通信の中継を認可する認可手段と、を備える。
【００１６】
本発明の第３の態様にかかる通信中継認可方法は、第１の端末装置と第２の端末装置間の通信の中継を行う通信中継装置であって、端末装置間の通信の中継を認可するために用いられるクレデンシャル情報と当該通信中継装置の宛先情報とを含む認可用情報を生成し、前記生成した認可用情報を前記第１の端末装置へ送信し、前記第２の端末装置が前記第１の端末装置から取得し前記宛先情報に基づき送信した前記認可用情報を受信し、前記第１の端末装置へ送信した認可用情報と、前記第２の端末装置から受信した認可用情報とが一致した場合、前記第１の端末装置と前記第２の端末装置との間の通信の中継を認可することを特徴とする。
【００１７】
本発明の第４の態様にかかる制御プログラムは、第１の端末装置と第２の端末装置間の通信の中継を行う通信中継装置の制御プログラムであって、前記端末装置間の通信の中継を認可するために用いられるクレデンシャル情報と自己の宛先情報とを含む認可用情報を生成する生成処理と、前記生成した認可用情報を第１の端末装置へ送信する送信処理と、第２の端末装置が第１の端末装置から取得し前記宛先情報に基づき送信された当該認可用情報を受信する受信処理と、前記第１の端末装置へ送信した認可用情報と、前記第２の端末装置から受信した認可用情報とが一致した場合、前記第１の端末装置と前記第２の端末装置との間の通信の中継を認可する認可処理と、をコンピュータに実行させる。
【００１８】
本発明の第５の態様にかかる端末装置は、端末装置間の通信の中継を行う通信中継装置において当該中継を認可するために用いられるクレデンシャル情報と、当該通信中継装置の宛先情報とを含む認可用情報を、当該他の端末装置から取得する取得手段と、前記取得した認可用情報に含まれる宛先情報に基づき、当該認可用情報を前記通信中継装置へ送信する送信手段と、を備える。
【００１９】
本発明の第６の態様にかかる制御プログラムは、端末装置間の通信の中継を行う通信中継装置において当該中継を認可するために用いられるクレデンシャル情報と、当該通信中継装置の宛先情報とを含む認可用情報を、当該他の端末装置から取得する取得処理と、前記取得した認可用情報に含まれる宛先情報に基づき、当該認可用情報を前記通信中継装置へ送信する送信処理と、をコンピュータに実行させる。
【００２０】
本発明の第７の態様にかかる端末装置は、端末装置間の通信の中継を行う通信中継装置において当該中継を認可するために用いられるクレデンシャル情報と、当該通信中継装置の宛先情報とを含む認可用情報を受信する受信手段と、前記通信中継装置から前記認可用情報を受信した場合に、当該認可用情報を他の端末装置から取得可能に設定する設定手段と、を備える。
【００２１】
本発明の第８の態様にかかる制御プログラムは、端末装置間の通信の中継を行う通信中継装置において当該中継を認可するために用いられるクレデンシャル情報と、当該通信中継装置の宛先情報とを含む認可用情報を受信する受信処理と、前記通信中継装置から前記認可用情報を受信した場合に、当該認可用情報を他の端末装置から取得可能に設定する設定処理と、をコンピュータに実行させる。
【発明の効果】
【００２２】
本発明により、端末装置間の通信の中継を認可する処理を、エンドユーザの簡易な操作により実現するための通信中継認可システム、通信中継装置、通信中継認可方法、端末装置及び制御プログラムを提供することができる。
【図面の簡単な説明】
【００２３】
【図１】本発明の実施の形態１にかかる通信中継認可システムの構成を示すブロック図である。
【図２】本発明の実施の形態１にかかる通信中継認可処理の流れを示すシーケンス図である。
【図３】本発明の実施の形態２にかかる通信中継認可システムの構成を示すブロック図である。
【図４】本発明の実施の形態２にかかる通信中継装置のハードウェア構成の例を示すブロック図である。
【図５】本発明の実施の形態２にかかる端末装置Ａのハードウェア構成の例を示すブロック図である。
【図６】本発明の実施の形態２にかかる端末装置Ｂのハードウェア構成の例を示すブロック図である。
【図７】本発明の実施の形態２にかかる通信中継認可処理の流れを示すシーケンス図である。
【図８】本発明の実施の形態２にかかる中継要求送信処理の流れを説明するためのフローチャートである。
【図９】本発明の実施の形態２にかかる中継要求受信処理の流れを説明するためのフローチャートである。
【図１０】本発明の実施の形態２にかかる認可用情報受信処理の流れを説明するためのフローチャートである。
【図１１】本発明の実施の形態２にかかる認可用情報取得処理の流れを説明するためのフローチャートである。
【図１２】本発明の実施の形態２にかかる認可処理の流れを説明するためのフローチャートである。
【図１３】本発明の実施の形態３にかかる通信中継認可システムの構成を示すブロック図である。
【発明を実施するための形態】
【００２４】
以下では、本発明を適用した具体的な実施の形態について、図面を参照しながら詳細に説明する。各図面において、同一要素には同一の符号が付されており、説明の明確化のため、必要に応じて重複説明は省略する。
【００２５】
＜発明の実施の形態１＞
図１は、本発明の実施の形態１にかかる通信中継認可システム１０００の構成を示すブロック図である。通信中継認可システム１０００は、通信中継装置１００と、端末装置Ａ１１０と、端末装置Ｂ１２０とを備える。ここで、通信中継装置１００は、任意の端末装置間の通信の中継を行うものである。端末装置間の通信は、ネットワーク等を介して特定の端末装置間で双方向のデータ通信が可能な通信方式であるものとする。例えば、ＶＰＮ（Virtual Private Network）等が挙げられるが、これに限定されない。
【００２６】
次に、通信中継装置１００を用いて端末装置Ａ１１０と、端末装置Ｂ１２０間で通信の中継を認可する構成について説明する。
【００２７】
通信中継装置１００は、認可用情報生成手段１０１と、認可用情報送信手段１０２と、認可用情報受信手段１０３と、認可手段１０４とを備える。
認可用情報生成手段１０１は、トークンＩＤとトークンアップロード宛先とを含む認可用情報を生成する。ここで、トークンＩＤとは、端末装置間の通信の中継を認可するために用いられる識別情報であり、クレデンシャル情報の一例である。クレデンシャル情報とは、端末装置間の通信の中継を認可するために用いられる情報である。クレデンシャル情報は、通信を行う端末装置間で共有されるが、当該端末装置以外の外部の端末装置には秘密にされる情報である。そのため、クレデンシャル情報は、予測が困難な情報であることが好ましく、また第三者により傍受されないように当該端末装置間で受け渡されることが好ましい。クレデンシャル情報は、例えば、ワンタイムで用いるために発行される乱数やアクセストークンがある。トークンアップロード宛先とは、端末装置Ｂ１２０から送信する認可用情報を通信中継装置１００の認可用情報受信手段１０３で受信するための宛先情報の一例である。
通信中継装置１００の認可用情報送信手段１０２は、端末装置Ａ１１０へと認可用情報を送信する。
【００２８】
端末装置Ａ１１０は、認可用情報ダウンロード手段１１１と、認可用情報引取要求提示ＵＩ手段１１２と、認可用情報引渡手段１１３を備える。認可用情報ダウンロード手段１１１は、通信中継装置１００から認可用情報をダウンロードする。認可用情報ダウンロード手段１１１が認可用情報をダウンロードした後、認可用情報引取要求提示ＵＩ手段１１２は、認可用情報の引取りを端末装置Ｂ１２０のエンドユーザに要求する情報を提示する。この提示は例えば、画面へのダイアログ表示である。認可用情報引渡手段１１３は、後述する端末装置Ｂ１２０の認可用情報引取手段１２２が認可用情報を引き取れるようにする。認可用情報の引取／引渡のための技術としては、特定の端末装置間で少なくとも片方向からデータの引渡／引取が可能であればよく、近距離無線通信（赤外線通信等）の他、ＱＲコードの表示／読取などでも適用できる。
【００２９】
端末装置Ｂ１２０は、認可用情報引取ＵＩ手段１２１と、認可用情報引取手段１２２と、認可用情報アップロード手段１２３を備える。認可用情報引取ＵＩ手段１２１は、エンドユーザが認可用情報の引取りを許可するためのＵＩを提供する。例えば、端末装置Ｂ１２０に認可情報の引取開始ボタンを設ければよい。エンドユーザが引取開始ボタンを押下すると、認可用情報引取手段１２２は、認可用情報引渡手段１１３から認可用情報を引き取る。認可用情報引取手段１２２が認可用情報を引き取った後、認可用情報アップロード手段１２３は、認可用情報に含まれる宛先情報を参照して認可用情報を宛先である通信中継装置１００へ送信する。上記では宛先情報を通信中継装置１００としたがこれに限られず、通信中継装置の認可用情報受信手段１０３自体に割り当てられた宛先でもよい。
【００３０】
通信中継装置１００の認可用情報受信手段１０３は、端末装置Ｂ１２０から認可用情報を受信する。認可手段１０４は、認可用情報生成手段１０１が生成して認可用情報送信手段１０２から送信した認可用情報のトークンＩＤと、認可用情報受信手段１０３が受信した認可用情報のトークンＩＤとが一致したならば、端末装置Ａ１１０と端末装置Ｂ１２０の通信中継を認可する。
【００３１】
端末装置Ａ１１０は、受信した認可用情報を前記取得可能に設定した場合に、端末装置Ｂ１２０のエンドユーザに対して当該認可用情報が取得可能である旨を通知することが望ましい。例えば、認可用情報引取要求提示ＵＩ手段１１２が認可用情報の引取りをエンドユーザに要求する情報を提示することに対応する。これにより、エンドユーザは、認可用情報の取得タイミングを容易に知ることができる。
【００３２】
図２は、本発明の実施の形態１にかかる通信中継認可処理の流れを示すシーケンス図である。まず、通信中継装置１００は、端末装置間の通信の中継を認可するために用いられるクレデンシャル情報と当該通信中継装置の宛先情報とを含む認可用情報を生成する（Ｓ１０１）。
【００３３】
次に、通信中継装置１００は、生成した認可用情報を端末装置Ａ１１０へ送信し、端末装置Ａ１１０は、通信中継装置１００から認可用情報を受信する（Ｓ１０２）。
【００３４】
続いて、端末装置Ｂ１２０は、端末装置Ａ１１０が通信中継装置１００から受信した認可用情報を、端末装置Ａ１１０から取得する（Ｓ１０３）。そして、端末装置Ｂ１２０は、取得した認可用情報に含まれる宛先情報に基づき、当該認可用情報を通信中継装置１００へ送信する（Ｓ１０４）。
【００３５】
その後、通信中継装置１００は、端末装置Ａ１１０へ送信した認可用情報と、端末装置Ｂ１２０から受信した認可用情報とが一致した場合、端末装置Ａ１１０と端末装置Ｂ１２０との間の通信の中継を認可する。
【００３６】
このように、本発明の実施の形態１では、通信中継装置１００で生成されたクレデンシャル情報と宛先情報を含む認可用情報を端末装置Ａ１１０から端末装置Ｂ１２０へ引き渡している。端末装置Ｂ１２０では、エンドユーザが認可用情報の文字等を端末装置Ｂ１２０でキー操作により打ち込む必要がない。
【００３７】
また、本発明の実施の形態１にかかる認可用情報には、クレデンシャル情報（例えば、トークンＩＤ）に加え、トークンアップロード宛先が含まれている。そのため、端末装置Ｂ１２０は、端末装置Ａ１１０から認可用情報を取得するだけで、アップロード先の宛先情報を容易に知ることができる。よって、エンドユーザが通信中継装置１００の宛先情報を端末装置Ｂ１２０へキー操作により打ち込む必要がない。
【００３８】
本発明の実施の形態１によれば、端末装置間で中継を認可する通信中継装置を介して通信する際に、中継認可のために端末装置Ａ１１０からの認可用情報の引取りをエンドユーザが端末装置Ｂ１２０で許諾する操作すればよいためエンドユーザが簡易な操作で認可することができる。
【００３９】
＜発明の実施の形態２＞
実施の形態２は、実施の形態１で端末装置Ａ、端末装置Ｂ間の中継で認可された認可用情報を活用し、同じ端末装置への中継を認可する際、２度目以降のエンドユーザによる認可操作をより簡略化するものである。以下の説明では、通信中継認可システムにおいて実施の形態１と同様な構成・動作については詳細説明を省略し、追加された構成・動作について詳細に説明する。図３は、本発明の実施の形態２にかかる通信中継認可システム２０００の構成を示すブロック図である。通信中継認可システム２０００は、通信中継装置２００と、端末装置Ａ２１０と、端末装置Ｂ２２０とを備える。
【００４０】
初めに、通信中継装置２００について説明する。通信中継装置２００は、認可用情報生成手段２０１と、認可用情報送信手段２０２と、認可用情報受信手段２０３と、認可手段２０４に加え、認可済トークン記憶手段２０５と、中継要求受付手段２０６を備える。
【００４１】
認可用情報生成手段２０１は、認可用情報を生成し、認可用情報送信手段２０２は、端末装置Ａ２１０へと認可用情報を送信する。実施の形態１と同様に認可用情報受信手段２０３は、端末装置Ｂ２２０から認可用情報を受信する。
【００４２】
認可手段２０４は、認可用情報生成手段２０１が生成して認可用情報送信手段２０２が送信した認可用情報のトークンＩＤと、認可用情報受信手段２０３が受信した認可用情報のトークンＩＤが一致した場合、端末装置Ａ２１０と端末装置Ｂ２２０の間の通信の中継を認可し、さらに、その認可用情報を認可済トークン記憶手段２０５に記憶させる。
【００４３】
中継要求受付手段２０６は、端末装置Ａ２１０からの中継要求を受け付ける。そして、中継要求受付手段２０６は、受け付けた中継要求に認可用情報が含まれている場合、認可済トークン記憶手段２０５に記憶された認可用情報と一致するか否かを判定する。中継要求の認可用情報と認可済トークン記憶手段２０５の認可用情報が一致していれば、その認可用情報を用いた中継は既に認可されているものと判断する。そして、通信中継装置１００は、中継要求に応じて端末装置Ａ２１０と端末装置Ｂ２２０との通信の中継を行う。
【００４４】
ここで、端末装置Ａ２１０からの中継要求が認可用情報を含まない、あるいは、含んでいても認可済トークン記憶手段２０５に記憶された認可用情報と異なる場合は、認可用情報生成手段２０１は、認可用情報を新たに生成し、端末装置Ａ２１０へ送信し、端末装置Ｂ２２０との中継の認可を確立させる。
【００４５】
次に、端末装置Ａ２１０について説明する。端末装置Ａ２１０は、認可用情報ダウンロード手段２１１と、認可用情報引取要求提示ＵＩ手段２１２と、認可用情報引渡手段２１３に加え、中継要求送信手段２１５と、ダウンロード済情報記憶手段２１４を備える。
【００４６】
認可用情報ダウンロード手段２１１は、通信中継装置２００から認可用情報をダウンロードし、その認可用情報を後述するダウンロード済情報記憶手段２１４に記憶させる。端末装置Ｂ２２０に対し新たに中継の認可を求める場合は、認可用情報ダウンロード手段２１１が認可用情報をダウンロードした後、認可用情報引取要求提示ＵＩ手段２１２は、認可用情報の引取りをエンドユーザに要求する情報を提示する。認可用情報引渡手段２１３は、端末装置Ｂ２２０が認可用情報を引き取れるようにする。端末装置Ａ２１０から端末装置Ｂ２２０に対し新たに中継の認可を求める場合は、実施の形態１の構成・動作と同様なので詳細な説明は省略する。
【００４７】
中継要求送信手段２１５は、端末装置Ｂ２２０との通信の中継要求を通信中継装置２００へ送信する。その際に、ダウンロード済情報記憶手段２１４が認可用情報を記憶していたならば、中継要求に認可用情報を含めて送信する。
【００４８】
そして、中継要求受付手段２０６は、端末装置Ａ２１０から受け付けた中継要求に認可用情報と認可済トークン記憶手段２０５に記憶された認可用情報と一致するか否かを判定する。中継要求の認可用情報と認可済トークン記憶手段２０５の認可用情報が一致していれば、その認可用情報を用いた中継は既に認可されているものと判断し、通信中継装置１００は、中継要求に応じて端末装置Ａ２１０と端末装置Ｂ２２０との通信の中継を行う。
【００４９】
このように、実施の形態２では、実施の形態１で端末装置Ａ、端末装置Ｂ間の中継で認可された認可用情報を活用することで、再度、端末装置Ｂへの中継の認可を求める際、端末装置Ｂのエンドユーザは認可用情報の引取操作をせずに済み、より簡略な操作を実現することができる。
【００５０】
図４は、本発明の実施の形態２にかかる通信中継装置２００のハードウェア構成の例を示すブロック図である。通信中継装置２００は、ＣＰＵ（Ｃｅｎｔｒａｌ  Ｐｒｏｃｅｓｓｉｎｇ  Ｕｎｉｔ）２３１と、ＲＡＭ（Ｒａｎｄｏｍ  Ａｃｃｅｓｓ  Ｍｅｍｏｒｙ）２３２と、ＲＯＭ（Ｒｅａｄ  Ｏｎｌｙ  Ｍｅｍｏｒｙ）２３３と、通信ＩＦ（Ｉｎｔｅｒｆａｃｅ）２３４と、ハードディスク２３５とを備える。
【００５１】
ハードディスク２３５は、不揮発性記憶装置である。ハードディスク２３５は、ＯＳ（不図示）、制御プログラム２３５１等を格納する。ここで、制御プログラム２３５１は、本発明の実施の形態２にかかる通信中継認可処理が実装されたコンピュータプログラムである。すなわち、認可用情報生成手段２０１、認可用情報送信手段２０２、認可用情報受信手段２０３、認可手段２０４、中継要求受付手段２０６の各処理が実装されている。
【００５２】
ＣＰＵ２３１は、通信中継装置２００における各種処理、ＲＡＭ２３２、ＲＯＭ２３３、通信ＩＦ２３４及びハードディスク２３５へのアクセス等を制御する。通信ＩＦ２３４は、端末装置Ａ２１０及びＢ２２０を含む外部の端末装置との通信を行う。通信ＩＦ２３４は、制御プログラム２３５１の処理と併せて、認可用情報送信手段２０２、認可用情報受信手段２０３、中継要求受付手段２０６を実現する。通信ＩＦ２３４は、端末装置Ａ２１０及び端末装置Ｂ２２０との通信を行うためのインタフェースである。
【００５３】
通信中継装置２００は、ＣＰＵ２３１が、ＲＡＭ２３２、ＲＯＭ２３３又はハードディスク２３５に格納されたＯＳ、制御プログラム２３５１等を読み込み、実行する。これにより、通信中継装置２００は、通信中継認可処理を実現することができる。
【００５４】
図５は、本発明の実施の形態２にかかる端末装置Ａ２１０のハードウェア構成の例を示すブロック図である。端末装置Ａ２１０は、ＣＰＵ２４１、ＲＡＭ２４２、ＲＯＭ２４３、通信ＩＦ２４４ａ及び２４４ｂ、ハードディスク２４５、表示装置２４６、入力装置２４７を備える。尚、通信中継装置２００と同等の構成については、適宜、説明を省略する。
【００５５】
ハードディスク２４５には、制御プログラム２４５１が格納されている。制御プログラム２４５１は、認可用情報ダウンロード手段２１１、認可用情報引取要求提示ＵＩ手段２１２、認可用情報引渡手段２１３、ダウンロード済情報記憶手段２１４及び中継要求送信手段２１５の各処理が実装されている。
【００５６】
通信ＩＦ２４４ａは、通信中継装置２００との通信を行うためのインタフェースである。例えば、有線ＩＰ通信インタフェースや無線通信インタフェースなどで実現できる。通信ＩＦ２４４ａは、制御プログラム２４５１の処理と併せて、認可用情報ダウンロード手段２１１及び中継要求送信手段２１５を実現する。通信ＩＦ２４４ｂは、端末装置Ｂ２２０との通信を行うためのインタフェースである。例えば、赤外線通信などの近距離無線通信インタフェースなどを用いることができる。通信ＩＦ２４４ｂは、制御プログラム２４５１の処理と併せて、認可用情報引渡手段２１３を実現する。なお、端末装置Ａ２１０から端末装置Ｂ２２０への認可用情報を引渡すことができるのであれば、上記の通信方式に限られるものではない。例えば２次元バーコード等を用いてデータ情報を引渡しする技術が適用できる。
【００５７】
表示装置２４６は、ディスプレイ装置等の出力装置である。表示装置２４６は、認可用情報引取要求提示ＵＩ手段２１２により出力される情報を表示する。入力装置２４７は、キーボード等の一般的な入力装置である。
【００５８】
端末装置Ａ２１０は、ＣＰＵ２４１が、ＲＡＭ２４２、ＲＯＭ２４３又はハードディスク２４５に格納されたＯＳ、制御プログラム２４５１等を読み込み、実行する。これにより、端末装置Ａ２１０は、認可用情報受信処理を実現することができる。
【００５９】
図６は、本発明の実施の形態２にかかる端末装置Ｂ２２０のハードウェア構成の例を示すブロック図である。端末装置Ｂ２２０は、ＣＰＵ２５１、ＲＡＭ２５２、ＲＯＭ２５３、通信ＩＦ２５４ａ及び２５４ｂ、ハードディスク２５５、表示装置２５６、入力装置２５７を備える。尚、通信中継装置２００又は端末装置Ａ２１０と同等の構成については、適宜、説明を省略する。
【００６０】
ハードディスク２５５には、制御プログラム２５５１が格納されている。制御プログラム２５５１は、認可用情報引取ＵＩ手段２２１、認可用情報引取手段２２２、認可用情報アップロード手段２２３の各処理が実装されている。
【００６１】
通信ＩＦ２５４ａは、通信中継装置２００との通信を行うためのインタフェースである。例えば、無線ＩＰ通信インタフェースを実現する。通信ＩＦ２５４ａは、制御プログラム２５５１の処理と併せて、認可用情報アップロード手段２２３を実現する。通信ＩＦ２５４ｂは、端末装置Ａ２１０との通信を行うためのインタフェースであり、例えば、近距離無線通信インタフェースを実現する。通信ＩＦ２５４ｂは、制御プログラム２５５１の処理と併せて、認可用情報引取手段２２２の処理を実現する。なお、端末装置Ａ２１０から端末装置Ｂ２２０への認可用情報を引渡すことができるのであれば、上記の通信方式に限られるものではない。例えば２次元バーコード等を用いてデータ情報を引渡しする技術が適用できる。
【００６２】
表示装置２５６は、ディスプレイ装置等の出力装置である。表示装置２５６は、認可用情報引取ＵＩ手段２２１により出力される近距離無線通信の受信開始ボタンを表示する。入力装置２４７は、キーボード等の一般的な入力装置であり、ユーザによる受信開始ボタンの押下操作を受け付ける。
【００６３】
端末装置Ｂ２２０は、ＣＰＵ２５１が、ＲＡＭ２５２、ＲＯＭ２５３又はハードディスク２５５に格納されたＯＳ、制御プログラム２５５１等を読み込み、実行する。これにより、端末装置Ｂ２２０は、認可用情報取得処理を実現することができる。
【００６４】
図７は、本発明の実施の形態２にかかる通信中継認可処理の流れを示すシーケンス図である。まず、端末装置Ａ２１０は、中継要求送信処理を行う（Ｓ２０１）。図８は、本発明の実施の形態２にかかる中継要求送信処理の流れを説明するためのフローチャートである。
【００６５】
まず、端末装置Ａ２１０の認可用情報送信手段２０２は、ダウンロード済情報記憶手段２１４にダウンロード済みの認可用情報が記憶されているか否かを判定する（Ｓ１１）。もし、ダウンロード済み認可用情報が記憶されていたならば、認可用情報送信手段２０２は、ダウンロード済み認可用情報を含めた中継要求を通信中継装置２００へ送信する（Ｓ１２）。また、ダウンロード済み認可用情報が記憶されていないならば、認可用情報送信手段２０２は、認可用情報を含まない中継要求を通信中継装置２００へ送信する（Ｓ１３）。
【００６６】
図７に戻って説明する。次に、通信中継装置２００は、中継要求受信処理を行う（Ｓ２０２）。図９は、本発明の実施の形態２にかかる中継要求受信処理の流れを説明するためのフローチャートである。
【００６７】
通信中継装置２００は、端末装置Ａ２１０から送信された中継要求を中継要求受付手段２０６で受信する（Ｓ２１）。次に、中継要求受付手段２０６は、受信した中継要求が認可用情報を含むか否かを判定する（Ｓ２２）。もし、中継要求が認可用情報を含んでいたならば、中継要求受付手段２０６は、その認可用情報が、認可済トークン記憶手段２０５に記憶されているか否かを判定する（Ｓ２３）。
【００６８】
もし、認可用情報が記憶されていたならば、通信中継装置２００での中継は認可済みであるため、通信中継装置２００は、端末装置Ａ２１０と端末装置Ｂ２２０との間の通信の中継を開始する（Ｓ２４）。よって、当該通信中継認可処理の動作フローは終了する。
【００６９】
また、ステップＳ２２において中継要求が認可用情報を含まないか、ステップＳ２３において認可用情報が認可済みとして記憶されていないならば、認可用情報生成手段２０１は、認可用情報を生成する（Ｓ２５）。そして、認可用情報送信手段２０２は、生成された認可用情報を端末装置Ａ２１０へ送信する（Ｓ２６）。
【００７０】
図７に戻って説明する。続いて、端末装置Ａ２１０は、認可用情報受信処理を行う（Ｓ２０３）。図１０は、本発明の実施の形態２にかかる認可用情報受信処理の流れを説明するためのフローチャートである。
【００７１】
まず、端末装置Ａ２１０は、認可用情報ダウンロード手段２１１により、通信中継装置２００から送信された認可用情報を受信する（Ｓ３１）。言い換えると、認可用情報ダウンロード手段２１１は、中継要求に応じた応答として認可用情報をダウンロードする。
【００７２】
次に、端末装置Ａ２１０は、受信した認可用情報をダウンロード済情報記憶手段２１４に記憶する（Ｓ３２）。そして、端末装置Ａ２１０は、認可用情報引取要求提示ＵＩ手段２１２を通じて、認可用情報の引取要求をエンドユーザに提示する（Ｓ３３）。例えば、表示装置２４６上に、認可用情報が近距離無線通信など取得可能である旨が表示される。
【００７３】
併せて、端末装置Ａ２１０は、認可用情報引渡手段２１３を活性化して、端末装置Ｂ２２０が認可用情報を引き取れるようにする（Ｓ３４）。尚、ステップＳ３３及びＳ３４は、並列実行しても、いずれかを先に実行しても構わない。
【００７４】
図７に戻って説明する。続いて、端末装置Ｂ２２０は、認可用情報取得処理を行う（Ｓ２０４）。図１１は、本発明の実施の形態２にかかる認可用情報取得処理の流れを説明するためのフローチャートである。
【００７５】
まず、端末装置Ｂ２２０は、認可用情報引取ＵＩ手段２２１を通じて、エンドユーザから認可用情報の引取許可を得る（Ｓ４１）。すなわち、エンドユーザは、認可用情報引取要求提示ＵＩ手段２１２により提示された引取要求（取得要求）を目視で確認し、表示装置２５６に表示された受信開始ボタン又は当該ボタンに対応付けられたキーを押下することにより、認可用情報を取得する意思表示をする。すなわち、引取許可を出す。これにより、エンドユーザにより端末装置Ａ２１０と端末装置Ｂ２２０とのペアリングについて、最小限の操作で実現することができる。尚、エンドユーザにより引取許可の手段はこれに限定されず、同等の簡易な操作であればよい。
【００７６】
そして、端末装置Ｂ２２０は、ステップＳ４１の引取許可を得たならば、認可用情報引取手段２２２を起動して認可用情報を端末装置Ａ２１０から引き取る、すなわち取得する（Ｓ４２）。そして、端末装置Ｂ２２０は、取得した認可用情報を、認可用情報アップロード手段２２３を通じて通信中継装置２００へアップロードする（Ｓ４３）。
【００７７】
図７に戻って説明する。その後、通信中継装置２００は、認可処理を行う（Ｓ２０５）。図１２は、本発明の実施の形態２にかかる認可処理の流れを説明するためのフローチャートである。
【００７８】
まず、通信中継装置２００は、端末装置Ｂ２２０がアップロードした認可用情報を認可用情報受信手段２０３で受信する（Ｓ５１）。次に、通信中継装置２００の認可手段２０４は、受信した認可用情報が、先に端末装置Ａ２１０へ送信した認可用情報と一致するか否かを判定する（Ｓ５２）。
【００７９】
もし、受信した認可用情報が送信した認可用情報と一致するならば、認可手段２０４は、中継を認可する（Ｓ５３）。さらに、認可手段２０４は、当該認可用情報を認可済トークン記憶手段２０５に記憶する（Ｓ５４）。そして、当該通信中継認可処理の動作フローは終了する。
【００８０】
もし、ステップＳ５２において認可用情報が一致しないならば、認可手段２０４は、中継を認可しない（Ｓ５５）。そして、当該通信中継認可処理の動作フローは終了する。
【００８１】
以上の構成と動作により、端末装置Ａ２１０と端末装置Ｂ２２０が通信中継装置２００を介して通信することを、エンドユーザが簡易な操作で認可できるという効果が生じる。
【００８２】
また、認可済トークン記憶手段２０５、ダウンロード済情報記憶手段２１４を備えることにより、通信中継を一度認可されたならば、二度目以降の通信中継要求では、エンドユーザによる認可操作を省略できるという、更なる効果も生じる。
【００８３】
＜発明の実施の形態３＞
図１３は、本発明の実施の形態３にかかる通信中継認可システム３０００の構成を示すブロック図である。通信中継認可システム３０００は、上述した実施の形態１にかかる通信中継認可システム１０００の具体的な実施例の一つを示す。尚、図１３内のＴｈｅ  Ｉｎｔｅｒｎｅｔ３３１とＴｈｅ  Ｉｎｔｅｒｎｅｔ３３２とは説明の便宜上、別の符号をつけているが、同一のネットワークであって構わない。
【００８４】
通信中継認可システム３０００は、通信中継装置３００と、デスクトップコンピュータ３１０と、携帯電話機３２０とを備える。これらはそれぞれ、図１で示されている構成の、通信中継装置１００と端末装置Ａ１１０と端末装置Ｂ１２０に相当する。
【００８５】
通信中継装置３００は、認可用情報生成モジュール３０１と、有線ＩＰ通信インタフェース３０２と、有線ＩＰ通信インタフェース３０３と、認可用情報検証モジュール３０４とを備える。これらはそれぞれ、図１の認可用情報生成手段１０１、認可用情報送信手段１０２、認可用情報受信手段１０３、認可手段１０４を具体化したものである。尚、有線ＩＰ通信インタフェース３０２及び３０３は、共用されても構わない。そして、有線ＩＰ通信インタフェース３０２及び３０３は、データ通信を実現可能である。また、認可用情報生成モジュール３０１及び認可用情報検証モジュール３０４は、コンピュータプログラムを実行することにより実現しても構わない。
【００８６】
認可用情報生成モジュール３０１は、トークンアップロード宛先として有線ＩＰ通信インタフェース３０３を指し示すＵＲＩを用い、トークンＩＤはＵＲＩの末尾にｑｕｅｒｙ要素として付加する。その結果、認可用情報は例えば、次のようなＵＲＩとなる：「ｈｔｔｐ：／／ｇａｔｅｗａｙ．ｅｘａｍｐｌｅ．ｃｏｍ／ｉｎｔｅｒｆａｃｅＢ？ＩＤ＝１２３４５」。認可用情報生成モジュール３０１は、この認可用情報を送信するためにＱＲコードへとエンコードする。そして、有線ＩＰ通信インタフェース３０２は、このＱＲコードをデスクトップコンピュータ３１０へと送信する。
【００８７】
デスクトップコンピュータ３１０は、有線ＩＰ通信インタフェース３１１、ＱＲコード読取促進メッセージ表示モジュール３１２、ＱＲコード表示モジュール３１３、ディスプレイ装置３１４を備える。有線ＩＰ通信インタフェース３１１は、Ｔｈｅ  Ｉｎｔｅｒｎｅｔ３３１を介して、通信中継装置３００とのデータ通信を実現可能である。ＱＲコード読取促進メッセージ表示モジュール３１２及びＱＲコード表示モジュール３１３は、コンピュータプログラムを実行することにより実現しても構わない。
【００８８】
デスクトップコンピュータ３１０は、受信したＱＲコードを有線ＩＰ通信インタフェース３１１で受信する。そして、ＱＲコード読取促進メッセージ表示モジュール３１２がディスプレイ装置３１４にＱＲコードの読取をエンドユーザに促すメッセージを表示する。このメッセージは例えば、「通信の中継を認可するならば、このＱＲコードを読み取ってください」といったものである。さらに、ＱＲコード表示モジュール３１３がディスプレイ装置３１４にＱＲコードを表示する。
【００８９】
携帯電話機３２０は、ＱＲコードリーダ起動ボタン３２１、ＱＲコードリーダ３２２、無線ＩＰ通信インタフェース３２３を備える。無線ＩＰ通信インタフェース３２３は、携帯電話網３３３及びＴｈｅ  Ｉｎｔｅｒｎｅｔ３３２を介して、通信中継装置３００とのデータ通信を実現可能である。
【００９０】
携帯電話機３２０は、もしエンドユーザが通信中継を認可する意思を示して、ＱＲコードリーダ起動ボタン３２１を押したならば、ＱＲコードリーダ３２２でＱＲコードを読み取る。ＱＲコードリーダ３２２は、例えば、カメラ等である。そのため、ディスプレイ装置３１４からＱＲコードリーダ３２２へＱＲコードが取得される。
【００９１】
このＱＲコードは、ＵＲＩをエンコードしたものであるため、ＱＲコードをデコードすることでトークンアップロード宛先とトークンＩＤが一体となったＵＲＩが認可用情報として得られる。携帯電話機３２０は、このＵＲＩに無線ＩＰ通信インタフェース３２３を用いてアクセスする。
【００９２】
通信中継装置３００は、有線ＩＰ通信インタフェース３０３でアクセスを受信する。アクセスに用いられたＵＲＩは認可用情報そのものであるため、これを認可用情報検証モジュール３０４で検証する。この検証は、送信した認可用情報と受信した認可用情報のトークンＩＤが一致するかの判定によって行われる。もし一致したならば、認可用情報検証モジュール３０４は中継を認可する。
【００９３】
その結果、デスクトップコンピュータ３１０と携帯電話機３２０は、それぞれ有線ＩＰ通信インタフェース３１１と無線ＩＰ通信インタフェース３２３を通じ、通信中継装置３００を介して通信できるようになる。この通信の中継そのものは、ＩＰルータなどの装置で実現されており、当業者にとって既知の技術であるため詳細な説明は省略する。
【００９４】
そのほかの実施例として、図３で示した通信中継認可システム２０００のように、２回目以降の通信中継では認可の操作を省略することが考えられる。その場合、１回目の認可を、ＱＲコードを介して行った後には、２回目以降の通信中継ではＱＲコード読取による認可操作を省略できる。それゆえ、携帯電話機３２０を戸外に持ち出した場合でも、デスクトップコンピュータ３１０からの中継要求に従って通信を中継できる。
【００９５】
さらに他の実施例として、デスクトップコンピュータ３１０と携帯電話機３２０の間での認可用情報の受け渡しに、赤外線通信や、ＮＦＣ（Ｎｅａｒ  Ｆｉｅｌｄ  Ｃｏｍｍｕｎｉｃａｔｉｏｎ）による通信を用いることもできる。これらの技術は当業者にとって既知であるので、これ以上の説明は省略する。
【００９６】
＜その他の発明の実施の形態＞
本発明は、コンシューマ向けのコンピュータ装置同士の通信中継における、簡易な中継認可方法といった用途に適用できる。
【００９７】
尚、上述した本発明の実施の形態１では、エンドユーザの操作は、端末装置Ｂ１２０に対してされていたがこれに限定されない。例えば、エンドユーザが端末装置Ａ１１０を操作して、端末装置Ｂ１２０に対して認可用情報を引き渡しても構わない。
【００９８】
また、上述した本発明の実施の形態１では、必ずしもエンドユーザの操作を必要としない。端末装置Ａ１１０と端末装置Ｂ１２０とを予め接続しておくことで、認可用情報の受渡が実現できれば、通信中継装置１００は、通信の中継を認可できる。その後、接続を解除し、例えば端末装置Ｂ１２０を外部へ持ち出した際に、外部から通信中継装置１００を介して端末装置Ａ１１０へのアクセスを実現することができる。
【００９９】
尚、本発明の実施の形態１乃至３は、次のように言い換えることもできる。すなわち、通信を待ち受けるサーバと、通信を開始するクライアントと、サーバとクライアントの間の通信を中継する中継装置からなる通信システムであって、サーバとクライアントはそれぞれ中継装置への第一の通信手段を備える。この第一の通信手段は、双方向の通信機能を持つ。さらに、クライアントからサーバへと直接に中継認可トークンを渡す第二の通信手段を備える。この第二の通信手段は、少なくともクライアントからサーバへの片方向通信機能を持つ。中継装置は、サーバとクライアントのそれぞれと通信する通信手段を備え、さらにクライアントからの通信をサーバへと中継する中継手段を備える。クライアントがサーバへの通信を開始するために、第一の通信手段を用いて中継装置に通信中継のリクエストを送信すると、中継装置は中継認可トークンをクライアントに返送する。クライアントは返送された中継認可トークンを、第二の通信手段を用いてサーバに引き渡す。サーバは引き渡された中継認可トークンを第一の通信手段を用いて中継装置へ送信する。中継装置はサーバから中継認可トークンを受信すると、クライアントとサーバの間の通信を認可し、その時点以降のクライアントからの第一の通信手段を用いた通信を、サーバの第一の通信手段へと中継する。サーバは第一の通信手段を用いてクライアントからの通信を受信する。
【０１００】
または、本発明の実施の形態１乃至３は、次のように言い換えることもできる。
（付記Ａ）
トークンIDと通信中継装置を指し示すトークンアップロード宛先を含む認可トークンを生成する認可トークン生成手段と、
前記認可トークンをある端末装置に送信する認可トークン送信手段と、
別の端末装置から認可トークンを受信する認可トークン受信手段と、
前記送信した認可トークンと受信した認可トークンが一致したならば、前記それぞれの端末装置の間の通信を認可する認可手段を備えた通信中継装置。
【０１０１】
（付記Ｂ）
認可トークンを前記付記１の通信中継装置から受信する認可トークンダウンロード手段と、
認可トークンの引取りをエンドユーザに促す認可トークン引取要求提示UI手段と、
認可トークンを別の端末に引き渡す認可トークン引渡手段を備える端末装置Ａと、
認可トークンの引取り指示をエンドユーザから受け付ける認可トークン引取UI手段と、
認可トークンを別の端末から引き取る認可トークン引取手段と、
認可トークンを前記付記１の通信中継装置へ送信する認可トークンアップロード手段を備える端末装置Ｂと、
前記付記Ａの通信中継装置からなる通信中継認可システム。
【０１０２】
（付記Ｃ）
ダウンロードした認可トークンを記憶するダウンロード済トークン記憶手段と、
もし、前記ダウンロード済トークン記憶手段に認可トークンが記憶されているならば、その認可トークンを含む中継要求を通信中継装置に送信し、記憶されていないならば認可トークンを含まない中継要求を通信中継装置に送信する中継要求送信手段をさらに備える、前記付記Ｂの端末装置Ａと、
前記中継要求を受信する中継要求受付手段と、
認可済みの認可トークンを記憶する認可済トークン記憶手段をさらに備える、前期付記２の通信中継装置からなり、
もし中継要求に認可トークンが含まれていて、かつその認可トークンが認可済トークン記憶手段に記憶されている認可トークンと一致したならば、通信の中継を認可する前記付記Ｂの通信中継認可システム。
【０１０３】
また、本発明にかかる通信中継認可処理を、コンピュータに実行させる制御プログラムとして実現した場合、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、CD−ROM（Read Only Memory）、CD−R、CD−R/W、半導体メモリ（例えば、マスクROM、PROM（Programmable ROM）、EPROM（Erasable PROM）、フラッシュROM、RAM（random access memory））を含む。また、プログラムは、様々なタイプの一時的なコンピュータ可読媒体（transitory computer readable medium）を用いてコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。尚、本発明にかかる認可用情報受信処理及び認可用情報取得処理のそれぞれを、コンピュータに実行させる制御プログラムとして実現した場合も、当該プログラムは、様々なタイプの非一時的なコンピュータ可読媒体を用いて格納され、コンピュータに供給することができることは、同様である。
【０１０４】
さらに、本発明は上述した実施の形態のみに限定されるものではなく、既に述べた本発明の要旨を逸脱しない範囲において種々の変更が可能であることは勿論である。
【０１０５】
上記の実施形態の一部又は全部は、以下の付記のようにも記載され得るが、以下には限られない。
【０１０６】
（付記１）  端末装置間の通信の中継を行う通信中継装置と、
第１の端末装置と、
当該第１の端末装置からデータ取得が可能な第２の端末装置と、を備え、
前記通信中継装置は、
前記端末装置間の通信の中継を認可するために用いられるクレデンシャル情報と当該通信中継装置の宛先情報とを含む認可用情報を生成し、
前記生成した認可用情報を前記第１の端末装置へ送信し、
前記第２の端末装置は、
前記第１の端末装置が前記通信中継装置から受信した認可用情報を、当該第１の端末装置から取得し、
前記取得した認可用情報に含まれる宛先情報に基づき、当該認可用情報を前記通信中継装置へ送信し、
前記通信中継装置は、
前記第１の端末装置へ送信した認可用情報と、前記第２の端末装置から受信した認可用情報とが一致した場合、前記第１の端末装置と前記第２の端末装置との間の通信の中継を認可する
ことを特徴とする通信中継認可システム。
（付記２）  前記第２の端末装置は、ユーザからの取得指示に応じて、前記第１の端末装置から前記認可用情報を取得することを特徴とする付記１に記載の通信中継認可システム。
（付記３）  前記第１の端末装置は、前記第２の端末装置からの取得要求に応じて、前記認可用情報を当該第２の端末装置へ引き渡す
ことを特徴とする付記１又は２に記載の通信中継認可システム。
（付記４）  前記第１の端末装置は、
前記ユーザに対して取得可能である旨を通知し、
前記第２の端末装置は、
前記通知に基づく前記ユーザからの取得指示に応じて前記認可用情報を前記第１の端末装置から取得する
ことを特徴とする付記３に記載の通信中継認可システム。
（付記５）  前記第１の端末装置は、
前記第２の端末装置との通信の中継要求を前記通信中継装置へ送信する中継要求送信手段と、
前記通信中継装置から受信した前記認可用情報を記憶する受信情報記憶手段と、を備え、
前記中継要求送信手段は、
前記受信情報記憶手段に前記認可用情報が記憶されている場合に、当該認可用情報を読み出して前記中継要求に含めて前記通信中継装置へ送信し、
前記通信中継装置は、
認可済みの前記認可用情報を記憶する認可済情報記憶手段をさらに備え、
前記第１の端末装置から受信した中継要求に含まれる前記認可用情報が前記認可済情報記憶手段に記憶された認可用情報と一致した場合、前記第１の端末装置と前記第２の端末装置との通信の中継を行う
ことを特徴とする付記１乃至４のいずれか１項に記載の通信中継認可システム。
（付記６）  前記通信中継装置は、
前記受信した中継要求に含まれる認可用情報が前記認可済情報記憶手段に記憶された認可用情報と一致しない場合に、前記認可用情報を生成する
ことを特徴とする付記５に記載の通信中継認可システム。
（付記７）  端末装置間の通信の中継を認可するために用いられるクレデンシャル情報と自己の宛先情報とを含む認可用情報を生成する認可用情報生成手段と、
前記生成した認可用情報を第１の端末装置へ送信する認可用情報送信手段と、
前記第２の端末装置が前記第１の端末装置から取得し前記宛先情報に基づき送信した前記認可用情報を受信する認可用情報受信手段と、
前記第１の端末装置へ送信した認可用情報と、前記第２の端末装置から受信した認可用情報とが一致した場合、前記第１の端末装置と前記第２の端末装置との間の通信の中継を認可する認可手段と、
を備える通信中継装置。
（付記８）  前記通信中継装置は、
前記認可手段により認可済みの前記認可用情報を記憶する認可済情報記憶手段と、
前記第２の端末装置との通信の中継要求を、前記第１の端末装置から受信し、
前記受信した中継要求に含まれる前記認可用情報が、当該認可用情報が前記認可済情報記憶手段に記憶された認可用情報と一致した場合、前記第１の端末装置と前記第２の端末装置との通信の中継を行う中継要求受信手段と、
をさらに備えることを特徴とする付記７に記載の通信中継装置。
（付記９）  前記認可用情報生成手段は、前記受信した中継要求に含まれる認可用情報が前記認可済情報記憶手段に記憶された認可用情報と一致しない場合、前記認可用情報を生成する
ことを特徴とする付記８に記載の通信中継装置。
（付記１０）  第１の端末装置と第２の端末装置間の通信の中継を行う通信中継装置であって、
端末装置間の通信の中継を認可するために用いられるクレデンシャル情報と当該通信中継装置の宛先情報とを含む認可用情報を生成し、
前記生成した認可用情報を前記第１の端末装置へ送信し、
前記第２の端末装置が前記第１の端末装置から取得し前記宛先情報に基づき送信した前記認可用情報を受信し、
前記第１の端末装置へ送信した認可用情報と、前記第２の端末装置から受信した認可用情報とが一致した場合、前記第１の端末装置と前記第２の端末装置との間の通信の中継を認可する
ことを特徴とする通信中継認可方法。
（付記１１）  前記第２の端末装置において、
ユーザからの取得指示に応じて、前記第１の端末装置から前記認可用情報を取得する
ことを特徴とする付記１０に記載の通信中継認可方法。
（付記１２）  前記第１の端末装置は、前記第２の端末装置からの取得要求に応じて、前記認可用情報を当該第２の端末装置へ引き渡すことを特徴とする付記１０又は１１に記載の通信中継認可方法。
（付記１３）  前記第１の端末装置は、前記ユーザに対して当該認可用情報が取得可能である旨を通知し、
前記第２の端末装置は、
前記通知に基づく前記ユーザからの取得指示に応じて前記認可用情報を前記第１の端末装置から取得することを特徴とする付記１２に記載の通信中継認可方法。
（付記１４）  前記第１の端末装置は
前記通信中継装置から受信した前記認可用情報を受信情報記憶手段に記憶し、
前記第２の端末装置との通信の中継要求を前記通信中継装置へ送信する際に、当該認可用情報を読み出して前記中継要求に含めて前記通信中継装置へ送信し、
前記通信中継装置は、
認可済みの前記認可用情報を認可済情報記憶手段に記憶し、
前記第１の端末装置から受信した中継要求に含まれる認可用情報が前記認可済情報記憶手段に記憶された認可用情報と一致した場合、前記第１の端末装置と前記第２の端末装置との通信の中継を行う
ことを特徴とする付記１０乃至１３のいずれか１項に記載の通信中継認可方法。
（付記１５）  前記通信中継装置は、
前記受信した中継要求に含まれる認可用情報が前記認可済情報記憶手段に記憶された認可用情報と一致しない場合に、前記認可用情報を生成することを特徴とする付記１４に記載の通信中継認可方法。
（付記１６）  第１の端末装置と第２の端末装置間の通信の中継を行う通信中継装置の制御プログラムであって、
前記端末装置間の通信の中継を認可するために用いられるクレデンシャル情報と自己の宛先情報とを含む認可用情報を生成する生成処理と、
前記生成した認可用情報を第１の端末装置へ送信する送信処理と、
第２の端末装置が第１の端末装置から取得し前記宛先情報に基づき送信された当該認可用情報を受信する受信処理と、
前記第１の端末装置へ送信した認可用情報と、前記第２の端末装置から受信した認可用情報とが一致した場合、前記第１の端末装置と前記第２の端末装置との間の通信の中継を認可する認可処理と、
をコンピュータに実行させる制御プログラム。
（付記１７）  前記認可処理により認可済みの前記認可用情報を認可済情報記憶部に記憶する記憶処理と、
前記第２の端末装置との通信の中継要求を、前記第１の端末装置から受信する処理と、
前記受信した中継要求に前記認可用情報が含まれている場合に、当該認可用情報が前記認可済情報記憶部に記憶された認可用情報と一致するか否かを判定する判定処理と、
前記判定処理により一致すると判定した場合、前記第１の端末装置と前記第２の端末装置との通信の中継を行う中継処理と、
をさらに前記コンピュータに実行させることを特徴とする付記１６に記載の制御プログラム。
（付記１８）  前記生成処理は、前記受信した中継要求に含まれる認可用情報が前記認可済情報記憶部に記憶された認可用情報と一致しない場合に、前記認可用情報を生成することを特徴とする付記１７に記載の制御プログラム。
（付記１９）  端末装置間の通信の中継を行う通信中継装置において当該中継を認可するために用いられるクレデンシャル情報と、当該通信中継装置の宛先情報とを含む認可用情報を、当該他の端末装置から取得する取得手段と、
前記取得した認可用情報に含まれる宛先情報に基づき、当該認可用情報を前記通信中継装置へ送信する送信手段と、
を備える端末装置。
（付記２０）  ユーザからの取得指示に応じて、前記他の端末装置から前記認可用情報を取得することを特徴とする付記１９に記載の端末装置。
（付記２１）  前記他の端末装置が前記通信中継装置から受信した認可用情報を取得可能に設定した場合に、前記ユーザに対する当該認可用情報が取得可能である旨の通知に基づく前記ユーザからの取得指示に応じて、前記認可用情報を前記他の端末装置から取得することを特徴とする付記２０に記載の端末装置。
（付記２２）  端末装置間の通信の中継を行う通信中継装置において当該中継を認可するために用いられるクレデンシャル情報と、当該通信中継装置の宛先情報とを含む認可用情報を、当該他の端末装置から取得する取得処理と、
前記取得した認可用情報に含まれる宛先情報に基づき、当該認可用情報を前記通信中継装置へ送信する送信処理と、
をコンピュータに実行させる制御プログラム。
（付記２３）  前記取得処理は、ユーザからの取得指示に応じて、前記他の端末装置から前記認可用情報を取得する
ことを特徴とする付記２２に記載の制御プログラム。
（付記２４）  前記取得処理は、前記他の端末装置が前記通信中継装置から受信した認可用情報を取得可能に設定した場合に、前記ユーザに対する当該認可用情報が取得可能である旨の通知に基づく前記ユーザからの取得指示に応じて、前記認可用情報を前記他の端末装置から取得する
ことを特徴とする付記２３に記載の制御プログラム。
（付記２５）  端末装置間の通信の中継を行う通信中継装置において当該中継を認可するために用いられるクレデンシャル情報と、当該通信中継装置の宛先情報とを含む認可用情報を受信する受信手段と、
前記通信中継装置から前記認可用情報を受信した場合に、当該認可用情報を他の端末装置から取得可能に設定する設定手段と、
を備える端末装置。
（付記２６）  前記他の端末装置からの取得要求に応じて、前記認可用情報を当該他の端末装置へ送信する送信手段をさらに備えることを特徴とする付記２５に記載の端末装置。
（付記２７）  前記受信した認可用情報を取得可能に設定した場合に、前記他の端末装置のユーザに対して当該認可用情報が取得可能である旨を通知する通知手段をさらに備えることを特徴とする付記２５又は２６に記載の端末装置。
（付記２８）  前記他の端末装置との通信の中継要求を前記通信中継装置へ送信する中継要求送信手段と、
前記通信中継装置から受信した前記認可用情報を記憶する受信情報記憶手段と、
さらに備えることを特徴とする付記２５乃至２７のいずれか１項に記載の端末装置。
（付記２９）  端末装置間の通信の中継を行う通信中継装置において当該中継を認可するために用いられるクレデンシャル情報と、当該通信中継装置の宛先情報とを含む認可用情報を受信する受信処理と、
前記通信中継装置から前記認可用情報を受信した場合に、当該認可用情報を他の端末装置から取得可能に設定する設定処理と、
をコンピュータに実行させる制御プログラム。
（付記３０）  前記他の端末装置から取得要求に応じて、前記認可用情報を当該他の端末装置へ送信する送信手段をさらに前記コンピュータに実行させることを特徴とする付記２９に記載の制御プログラム。
（付記３１）  前記受信した認可用情報を取得可能に設定した場合に、前記他の端末装置のユーザに対して当該認可用情報が取得可能である旨を通知する通知処理を
をさらに前記コンピュータに実行させることを特徴とする付記２９又は３０に記載の制御プログラム。
（付記３２）  前記他の端末装置との通信の中継要求を前記通信中継装置へ送信する中継要求送信処理と、
前記通信中継装置から受信した前記認可用情報を記憶部に記憶する記憶処理と、
をさらに前記コンピュータに実行させることを特徴とする付記２９乃至３１のいずれか１項に記載の制御プログラム。
【符号の説明】
【０１０７】
１０００  通信中継認可システム
１００  通信中継装置
１０１  認可用情報生成手段
１０２  認可用情報送信手段
１０３  認可用情報受信手段
１０４  認可手段
１１０  端末装置Ａ
１１１  認可用情報ダウンロード手段
１１２  認可用情報引取要求提示ＵＩ手段
１１３  認可用情報引渡手段
１２０  端末装置Ｂ
１２１  認可用情報引取ＵＩ手段
１２２  認可用情報引取手段
１２３  認可用情報アップロード手段
２０００  通信中継認可システム
２００  通信中継装置
２０１  認可用情報生成手段
２０２  認可用情報送信手段
２０３  認可用情報受信手段
２０４  認可手段
２０５  認可済トークン記憶手段
２０６  中継要求受付手段
２１０  端末装置Ａ
２１１  認可用情報ダウンロード手段
２１２  認可用情報引取要求提示ＵＩ手段
２１３  認可用情報引渡手段
２１４  ダウンロード済トークン記憶手段
２１５  中継要求送信手段
２２０  端末装置Ｂ
２２１  認可用情報引取ＵＩ手段
２２２  認可用情報引取手段
２２３  認可用情報アップロード手段
２３１  ＣＰＵ
２３２  ＲＡＭ
２３３  ＲＯＭ
２３４  通信ＩＦ
２３５  ハードディスク
２３５１  制御プログラム
２４１  ＣＰＵ
２４２  ＲＡＭ
２４３  ＲＯＭ
２４４ａ  通信ＩＦ
２４４ｂ  通信ＩＦ
２４５  ハードディスク
２４５１  制御プログラム
２４６  表示装置
２４７  入力装置
２５１  ＣＰＵ
２５２  ＲＡＭ
２５３  ＲＯＭ
２５４ａ  通信ＩＦ
２５４ｂ  通信ＩＦ
２５５  ハードディスク
２５５１  制御プログラム
２５６  表示装置
２５７  入力装置
３０００  通信中継認可システム
３００  通信中継装置
３０１  認可用情報生成モジュール
３０２  有線ＩＰ通信インタフェース
３０３  有線ＩＰ通信インタフェース
３０４  認可用情報検証モジュール
３１０  デスクトップコンピュータ
３１１  有線ＩＰ通信インタフェース
３１２  ＱＲコード読取促進メッセージ表示モジュール
３１３  ＱＲコード表示モジュール
３１４  ディスプレイ装置
３２０  携帯電話機
３２１  ＱＲコードリーダ起動ボタン
３２２  ＱＲコードリーダ
３２３  無線ＩＰ通信インタフェース
３３１  Ｔｈｅ  Ｉｎｔｅｒｎｅｔ
３３２  Ｔｈｅ  Ｉｎｔｅｒｎｅｔ
３３３  携帯電話網
【図１】
2012186624.tif 000003
【図２】
2012186624.tif 000004
【図３】
2012186624.tif 000005
【図４】
2012186624.tif 000006
【図５】
2012186624.tif 000007
【図６】
2012186624.tif 000008
【図７】
2012186624.tif 000009
【図８】
2012186624.tif 000010
【図９】
2012186624.tif 000011
【図１０】
2012186624.tif 000012
【図１１】
2012186624.tif 000013
【図１２】
2012186624.tif 000014
【図１３】
2012186624.tif 000015